(57)【要約】【課題】本発明は、一般家庭においても容易に設置することが可能なバルク供給装置を提供することを課題とする。【解決手段】本発明のバルク供給装置は、胴板１１と、この胴板１１の両端にそれぞれ固設された一対の鏡板１２とからなるバルク貯槽１、該バルク貯槽１の内部にガスを供給または排出するためのバルブ等の付設器具２１，…、及び、この付設器具２１，…を覆うプロテクタ３を備え、前記一対の鏡板１２には、前記付設器具２１，…がそれぞれ取付けられ、各付設器具２１，…はそれぞれプロテクタ３によって覆われていることを特徴とする。【選択図】図１
2005325987.tif 000002
【特許請求の範囲】
【請求項１】
胴板と、この胴板の両端にそれぞれ固設された一対の鏡板とからなるバルク貯槽、該バルク貯槽の内部にガスを供給または排出するためのバルブ等の付設器具、及び、この付設器具を覆うプロテクタを備えたバルク供給装置であって、
前記一対の鏡板には、前記付設器具がそれぞれ取付けられているとともに、各付設器具はそれぞれプロテクタによって覆われていることを特徴とするバルク供給装置。
【請求項２】
内部にガスを貯留するバルク貯槽、該バルク貯槽の内部にガスを供給または排出するためのバルブ等の付設器具、及び、この付設器具を覆うプロテクタを備えたバルク供給装置であって、
前記バルク貯槽には、その長手方向両端にそれぞれ付設器具が取付けられており、各付設器具はそれぞれプロテクタによって覆われていることを特徴とするバルク供給装置。
【請求項３】
請求項１又は２記載のバルク供給装置であって、
前記バルク貯槽は、少なくとも長手方向二箇所に設けられた脚部によって横型に設置されるように設けられていることを特徴とするバルク供給装置。
【請求項４】
請求項１又は２記載のバルク供給装置であって、
前記バルク貯槽は、長手方向一端側に設けられた脚部によって縦型に設置されるように設けられており、
前記付設器具のうち少なくとも液取出しバルブがバルク貯槽の下方に配置されていることを特徴とするバルク供給装置。
【請求項５】
請求項１乃至４の何れかに記載のバルク供給装置であって、
前記プロテクタは、前記バルク貯槽の短手方向の大きさと略同一に設けられていることを特徴とするバルク供給装置。
【請求項６】
請求項１乃至５の何れかに記載のバルク供給装置であって、
前記プロテクタには、内部に、ガスメータが収容されており、
該プロテクタには、前記ガスメータのメータ部を外部から視認可能な窓部が設けられていることを特徴とするバルク供給装置。
【発明の詳細な説明】
【技術分野】
【０００１】
本発明は、バルク供給装置に関するものであり、より詳しくは、バルク貯槽を用いてＬＰガス（液化石油ガス）を貯蔵し、かつ自然気化方式でＬＰガスの供給を行うのに適したものである。
【背景技術】
【０００２】
ＬＰガスは、従来から工業用のみならず家庭用にも利用されている。そして、工業的に使用される場合には、たとえば、工場等において大型のバルク供給装置（例えば３トン近いバルク供給装置）を設置しておき、このバルク供給装置にバルクローリ車によってガス充填を行うことが行われている。一方、家庭用に使用される場合には、たとえば、ガス充填所において小容量のシリンダ型ＬＰガス容器に小分けに充填して、このシリンダ型ＬＰガス容器を各家庭に搬送することがなされている。
【０００３】
しかるに、上記シリンダ型ＬＰガス容器による場合には小容量であるため、シリンダ型ＬＰガス容器の交換を頻繁に行うことを要していた。
【０００４】
このような観点から、シリンダ型ＬＰガス容器によらず、工業用に使用されていたバルク供給装置を一般家庭用に導入することが検討されている。しかるに、従来の工業用バルク供給装置では、その設置スペースが大きく、一般家庭においてそのまま採用することは困難であり、また、設置できるスペースが確保できたとしても、その外観が威圧感を与えるため、結局、一般家庭においては既述のシリンダ型ＬＰガス容器が利用されているのが現状である。
【０００５】
なお、上記のような設置スペースの問題に鑑みて特許文献１所載のものが提案されている。かかる特許文献１所載のものは、従来の横置き型を縦置き型とするとともに、バルク貯槽の上部にバルブユニットと調整器が積層構造で取付けた構造からなるものである。
【０００６】
しかしながら、この特許文献１所載のバルク供給装置にあっても、縦置き型であるため、必然的にこの装置専用のスペースの確保が必須であり、しかも、バルブユニットと調整器とが積層構造であり、一つのプロテクタ内に各器具の配置を考慮すると、プロテクタの上下方向及び横方向の大きさが大きくならざるを得なかった。
【０００７】
しかも、容量の確保のためにバルブ貯槽の上下方向の大きさを大きくした場合（背を高くした場合）には、上方に取付けられている液取入れバルブ等の付設設備が高く位置するため、充填作業等が困難になるという問題があった。一方、バルク貯槽の胴回りを大きくすれば、その設置スペースが広くなるばかりか外観的に威圧感を与えることになっていた。このため、特許文献１所載のものにあっても、一般の家庭においては既述のシリンダ型ＬＰガス容器から変更することが困難であった。
【特許文献１】特開２０００−７４２９８号公報
【発明の開示】
【発明が解決しようとする課題】
【０００８】
そこで、本発明は、従来のバルク供給装置の問題点に着目し、一般家庭においても容易に設置することが可能なバルク供給装置を提供することを課題とする。
【課題を解決するための手段】
【０００９】
上記目的を達成するため、本願発明はなされたものであり、本願発明に係るバルク供給装置は、胴板と、この胴板の両端にそれぞれ固設された一対の鏡板とからなるバルク貯槽、該バルク貯槽の内部にガスを供給または排出するためのバルブ等の付設器具、及び、この付設器具を覆うプロテクタを備えたバルク供給装置であって、前記一対の鏡板には、前記付設器具がそれぞれ取付けられているとともに、各付設器具はそれぞれプロテクタによって覆われていることを特徴とする。
【００１０】
上記構成からなるバルク供給装置にあっては、液取出しバルブ、液取入れバルブ等のバルブや、圧力調整器等の各付設器具を、一対の鏡板の一方に付設するように設計配置することが可能となり、このため、プロテクタ自体の大きさを小型化することができるとともに、特許文献１において一方の鏡板に取付けられていた付設器具を双方の鏡板に取付けることにより、鏡板自体の大きさの小型化を図ることができ、このため、バルク供給装置全体をスリムにすることができる。
【００１１】
また、本願発明に係るバルク供給装置は、内部にガスを貯留するバルク貯槽、該バルク貯槽の内部にガスを供給または排出するためのバルブ等の付設器具、及び、この付設器具を覆うプロテクタを備えたバルク供給装置であって、前記バルク貯槽には、その長手方向両端にそれぞれ付設器具が取付けられており、各付設器具はそれぞれプロテクタによって覆われていることを特徴とする。
【００１２】
上記構成からなるバルク供給装置にあっては、液取出しバルブ、液取入れバルブ等のバルブや、圧力調整器等の各付設器具を、バルク貯槽の両端のうち一端に付設するように設計配置することが可能となり、このため、プロテクタ自体の大きさを小型化することができるとともに、特許文献１においてバルク貯槽の一端側に取付けられていた付設器具を、バルク貯槽の両端に取付けることにより、バルク貯槽をスリムにすることができ、このため、バルク供給装置全体をスリムにすることができる。
【００１３】
具体的には、本発明にあっては、たとえば、バルク貯槽の一方に、液取出しバルブ、液取入れバルブ、及び、安全放出管を配置し、他方に、圧力調整器を配置することによって、外径が６００ｍｍ以下のバルブ貯槽とすることができ、バルク供給装置全体がスリムにすることができる。このため、バルク貯槽を縦型に設置できるようにした場合には人目につかない場所（例えば勝手口付近）に設置することが可能となる。一方、横型に設置できるようにした場合には、その上部に棚等を設置してガーデニングの棚等とすることにより、庭等に設置しても、人目につかないようにすることができる。
【００１４】
なお、既述のように縦型に設置できるように設けた場合には、前記付設器具のうち少なくとも液取出しバルブがバルク貯槽の下方に配置されている構成を採用することが好ましい。つまり、液取出しバルブを上方に配置した場合には、バルク貯槽内に延びるサイフォン管を該液取出しバルブに接続することを要するが、前述のように液取出しバルブをバルク貯槽の下方に配置することにより、既述のサイフォン管が不要となる利点を有する。
【００１５】
また、本願発明にあっては、プロテクタがバルク貯槽の短手方向の大きさと略同一に設けられている構成を採用することが好ましい。これにより、短手方向の大きさが略同一であるプロテクタとバルク貯槽とが連続したような形状をなし、全体としてスリムにすることができる。
【００１６】
また、本願発明にあっては、プロテクタ内部にガスメータを収容することが好ましく、これによりガスメータが一見して外部から視認されず、美観を向上することが可能となる。また、該構成を採用した場合には、プロテクタにガスメータのメータ部を外部から視認可能な窓部を設けることが好ましく、これにより、必要な際におけるメータの視認を外部から容易にすることが可能となる。
【発明を実施するための最良の形態】
【００１７】
以下に、本発明の実施形態について図面を参照しつつ以下説明する。
なお、図１乃至図３は、本発明の第一実施形態のバルク供給装置を示す説明図であり、図１は一部断面を含む概略的側面図、図２は概略的正面図、図３は概略的背面図である。図４及び図５は、本発明の第二実施形態のバルク供給装置を示す説明図であり、図４は概略的正面図、図５は概略的平面図である。なお、図５においては、プロテクタの図示を省略している。
【００１８】
<第一実施形態>
第一実施形態のバルク供給装置は、内部にＬＰガスを貯蔵するバルク貯槽１と、該バルク貯槽１の内部にガスを供給または排出するためのバルブ等の付設器具２１，…、及び、この付設器具２１，…を覆うプロテクタ３を備えている。
【００１９】
前記バルク貯槽１は、略円筒状の胴板１１と、この胴板１１の両端にそれぞれ溶接された一対の鏡板１２とから構成されている。ここで、該胴板１１は、その外径（直径）が約４６０ｍｍ程度に設けられている。
【００２０】
また、該バルク貯槽１は、長手方向二箇所に設けられた脚部４によって横型に設置されるように設けられている。ここで、脚部４は胴板１１の下部に溶接等によって固定されている。また、該胴板１１には、その上部に複数の取手５（図示例では三つ）が固定されている。また、該取手５は上面が水平に設けられており、板等を載置可能に設けられている。
【００２１】
また、前記一対の鏡板１２には、前記付設器具２１，…がそれぞれ取付けられている。なお、付設器具２１，…としては、液取入れバルブ２１、液取出しバルブ２２、液面計２３、安全弁放出管２４、及び、圧力調整器２５からなり、一方の鏡板１２には、液取入れバルブ２１、液取出しバルブ２２、液面計２３及び安全弁放出管２４が付設されており、他方の鏡板１２には、圧力調整器２５が付設されている。
【００２２】
また、一対の鏡板１２にはそれぞれプロテクタ３が取付けられており、各鏡板１２に付設された付設器具２１，…はそれぞれプロテクタ３によって覆われている。なお、プロテクタ３は、鏡板１２にボルト（図示省略）等によって固定されている。なお、プロテクタ３は、前記胴板１１の外周囲と略同等の大きさに設けられており、つまり、外径（直径）が約４６０ｍｍ程度に設けられている。
【００２３】
また、プロテクタ３は、扉部分３１が設けられており、内部の付設器具２１，…を操作可能に設けられている。さらに、前記圧力調整器２５にはガスメータ６が接続されており、該ガスメータ６も前記プロテクタ３の内部に収容されている。また、このガスメータ６を収容するプロテクタ３には、その扉部分に、前記ガスメータ６のメータ部を外部から視認できるように透明な窓部３２が設けられている。
【００２４】
<第二実施形態>
上記第一実施形態においては横型設置のものであったが、第二実施形態のバルブ供給装置は縦型設置のものであり、つまり、バルク貯槽１は、下端側に設けられた脚部４によって縦型に設置されるように設けられている。
【００２５】
本実施形態における脚部４は、下方側に位置する鏡板１２に固定されており、三つの脚部４によってバルク貯槽１を縦型に設置できるように設けられている。また、下方側のプロテクタ３は、前記脚部４の内周側に位置するように配置されており、プロテクタ３の扉部分は、横方向に開放可能に設けられている。
【００２６】
また、下方の鏡板１２には、前記付設器具２１，…のうち、液取出しバルブ２２が付設されており、上方の鏡板１２には、液取入れバルブ２１、液面計２３、安全弁放出管２４、及び、圧力調整器２５が付設されている。なお、上方のプロテクタ３に、ガスメータを収容して、第一実施形態のような窓部を設けることも適宜設計変更可能な事項である。
【００２７】
<その他の実施形態>
なお、上記実施形態の構成に本願発明は限定されるものではなく、本願発明の意図する範囲内において適宜設計変更可能である。
【図面の簡単な説明】
【００２８】
【図１】本発明の第一実施形態のバルク供給装置の一部断面を含む概略的側面図である。
【図２】同実施形態の概略的正面図である。
【図３】同実施形態の概略的背面図である。
【図４】本発明の第二実施形態のバルク供給装置を示す概略的正面図である。
【図５】同実施形態の概略的平面図である。
【符号の説明】
【００２９】
１    バルク貯槽
１１    胴板
１２    鏡板
２１    液取入れバルブ（付設器具）
２２    液取出しバルブ（付設器具）
２３    液面計（付設器具）
２４    安全弁放出管（付設器具）
２５    圧力調整器（付設器具）
３    プロテクタ
３１    扉部分
３２    窓部
４    脚部
５    取手
６    ガスメータ
【図１】
2005325987.tif 000003
【図２】
2005325987.tif 000004
【図３】
2005325987.tif 000005
【図４】
2005325987.tif 000006
【図５】
2005325987.tif 000007